(57)【要約】      （修正有）【課題】保持器アームを備える加熱される巻き髪デバイスを提供する。【解決手段】後方ハンドル部分１４と前方整髪部分１６とを含むベース１２であって、前方整髪部分が複数の突起部１８を含み、複数の突起部が剛毛、櫛歯または間を空けて配置された櫛板の１つまたは複数を含むベースと、後方ハンドル部分２１と前方セクション２７とを含む保持器アーム２０であって、保持器アームがベースの反対側にある保持器アームとを含む櫛状デバイス１０において、保持器アームが髪を受けるための複数の突起部のための開位置および複数の突起部において髪を保持するための閉位置から枢動できるように、保持器アームの後方ハンドル部分がベースの後方ハンドル部分へ枢動可能に接続され、保持器アームの前方セクションが突起部を有さず、複数の突起部において整えられている髪が保持器アームを通じてユーザに見える十分なオープンスペースを有する。【選択図】図１
0003208115.tif 000002
【実用新案登録請求の範囲】
【請求項１】
ａ）後方ハンドル部分と前方整髪部分とを含むベースであって、前記前方整髪部分が複数の突起部を含み、前記複数の突起部が剛毛、櫛歯または間を空けて配置された櫛板の１つまたは複数を含む、ベースと、
ｂ）後方ハンドル部分と前方セクションとを含む保持器アームであって、前記保持器アームが前記ベースの反対側にある、保持器アームとを含む整髪デバイスにおいて、前記保持器アームが、髪を受けるための前記複数の突起部のための開位置および前記複数の突起部において髪を保持するための閉位置から枢動できるように、前記保持器アームの前記後方ハンドル部分が前記ベースの前記後方ハンドル部分へ枢動可能に接続され、前記保持器アームの前記前方セクションが突起部を有さず、前記複数の突起部において整えられている髪が前記保持器アームを通じてユーザに見える十分なオープンスペースを有する、保持器アームとを含むことを特徴とする、整髪デバイス。
【請求項２】
請求項１に記載のデバイスにおいて、前記突起部が加熱されることを特徴とするデバイス。
【請求項３】
請求項１または２に記載のデバイスにおいて、
ａ）前記ベースの前記前方整髪部分内に配置される複数の穴であって、前記複数の穴が前記複数の突起部の全域にわたって分散される複数の穴と、
ｂ）空気を前記複数の穴を通じて吹き込むための１つまたは複数の送風装置と、
ｃ）前記１つまたは複数の送風装置に給電するための１つまたは複数のモータと、
ｄ）前記１つまたは複数の送風装置により吹き込まれる空気を加熱するための１つまたは複数のヒータと
をさらに含むことを特徴とするデバイス。
【請求項４】
請求項１乃至３の何れか１項に記載のデバイスにおいて、前記保持器アームの前記前方セクションが網目を含むことを特徴とするデバイス。
【請求項５】
請求項１乃至４の何れか１項に記載のデバイスにおいて、前記保持器アームの前記前方セクションがループであり、前記閉位置における前記ループが、前記突起部の実質的に全てを円周方向に囲んでいることを特徴とするデバイス。
【考案の詳細な説明】
【背景技術】
【０００１】
加熱される複数の突出する剛毛状構造がある、加熱される髪用ブラシは既知である。同様に、複数の加熱される歯状突起部がある、加熱される櫛が既知である。
【考案の概要】
【０００２】
これらのデバイスの課題は、ユーザが、加熱された突起部の最大の効果を得るために、デバイスによって髪を整える際に、手を使って髪を適所に保持する必要があることである。したがって両手が必要であり、片方の手が加熱された突起部に接触する恐れがある。
【０００３】
したがって、これらの既存のデバイスの欠点を克服する整髪デバイスが必要とされている。
【０００４】
本考案は、この必要性を解決する整髪デバイスを対象とする。デバイスは、剛毛または櫛歯もしくは櫛板など複数の加熱される突起部を備えるブラシまたは櫛を含み、ブラシまたは櫛は枢動端部セクションを有する。ブラシまたは櫛の反対側にある保持器は、保持器が、髪を受けるための開位置およびブラシまたは櫛において髪を保持するための閉位置から枢動できるように、ブラシまたは櫛の枢動端部セクションへ枢動可能に接続される。保持器は、剛毛も歯も有さず、ブラシまたは櫛において整えられている髪が保持器を通じてユーザに見える十分なオープンスペースを有する。保持器はまた、テンショナーとも呼ばれ得る。
【図面の簡単な説明】
【０００５】
本考案のこれらのおよび他の特徴、態様ならびに利点は、以下の説明および添付図面からより明らかになるだろう。
【０００６】
【図１】図１は、開位置にある、本考案の特徴を有する櫛状デバイスの斜視図である。
【図２】図２は、閉位置にある、本考案によるブラシタイプのデバイスの斜視図である。
【図３】図３は、開位置にある、本考案の特徴を有するブラシ状構造の別のバージョンである。
【図４】図４Ａは、保持器アームの前方整髪部分が単一のアームを含み、単一のアームが形状が長方形のベース内に配置される、閉位置にある、本考案の特徴を有するブラシ状構造の上面図である。図４Ｂは、保持器アームの前方整髪部分が単一のアームを含み、単一のアームが形状が楕円形のベース内に配置される、閉位置にある、本考案の特徴を有するブラシ状構造の上面図である。
【図５】図５Ａは、保持器アームの前方整髪部分が２つのアームを含み、２つのアームが長方形の形状のベースの突起部領域内に配置される、閉位置にある、本考案の特徴を有するブラシ状構造の上面図である。図５Ｂは、保持器アームの前方整髪部分が２つのアームを含み、２つのアームが長方形の形状のベースの突起部領域の外周に沿って配置される、閉位置にある、本考案の特徴を有するブラシ状構造の上面図である。
【図６】図６Ａは、保持器アームの前方整髪部分が２つのアームを含み、２つのアームが楕円形の形状のベースの突起部領域内に配置される、閉位置にある、本考案の特徴を有するブラシ状構造の上面図である。図６Ｂは、保持器アームの前方整髪部分が２つのアームを含み、２つのアームが楕円形の形状のベースの突起部領域の外周に沿って配置される、閉位置にある、本考案の特徴を有するブラシ状構造の上面図である。
【図７】図７は、空気出口穴が見られ得る、閉位置にある、本考案の特徴を有するブラシ状構造の上面図である。
【図８】図８は、図７のブラシ状構造の斜視図である。
【図９】図９は、線９に沿った、図８のブラシ状構造の断面図である。
【考案を実施するための形態】
【０００７】
図１に関して、本考案の特徴を有する櫛状デバイス１０は、後方ハンドル部分１４と前方整髪部分１６とを有するベース１２を含み、前方整髪部分１６は、突起部領域４４において互いから間隔を空けて、互いに実質的に平行に配される複数の板状突起部１８を有する。突起部１８は、厚さが約１ｍｍ〜約５ｍｍ、ベースに隣接した幅が約１ｍｍ〜約５ｍｍ、高さが約５ｍｍ〜約１５ｍｍであり得、約１ｍｍ〜約５ｍｍだけ間を空けて配置される。突起部１８は加熱されるか加熱されないかの何れかであり得る。加熱が望ましい場合、突起部１８は、Ａ／Ｃ電源へ接続されるコード５６（図７〜９参照）またはバッテリ（図示せず）などのエネルギー源により加熱される。
【０００８】
保持器アーム２０は後方ハンドル部分２１と前方整髪部分２７とを含む。後方ハンドル部分２１は、保持器アーム２０が図１に示される開位置と、本考案のブラシタイプのバージョンに関して、図２に示される閉位置との間で枢動し得るように、枢動ピン２２などによりハンドル部分１４の後端部分２４へ枢動可能に接続される。保持器アーム２０は、ばね２６または形状記憶プラスチック要素もしくは空気圧式ピストン状要素などの他の従来の付勢手段などの付勢手段によりその開位置へ付勢される。
【０００９】
一実施形態において、図１〜３に示されるとおり、保持器アーム２０の前方セクション２７は、突起部領域４４における突起部１８を囲む開ループ２８を含み、突起部１８は、図２に示される方法と同様の方法でループ２８を通って上方へ突出することができる。したがって、図２に示されるとおり、閉位置にあるループ２８は、突起部領域４４における突起部１８の実質的に全てを円周方向に囲んでいる。任意選択的に、閉位置において、突起部１８がループ２８の中および外側の両方において上方へ突出するように、ループ２８は突起部領域４４内に配置される。
【００１０】
図４Ａおよび４Ｂに示されるとおり、保持器アーム２０の前方セクションは１つのアーム３８を含み得る。アーム３８は基端部分４０と先端部分４２とを含む。アーム３８の基端部分４０は保持器アーム２０の後方ハンドル部分２１へ結合される。閉位置にあるとき、単一のアーム３８は、突起部１８が単一のアーム３８の周りで上方へ突出するように、突起部領域４４内の任意の位置に配置される。
【００１１】
図５〜６に示されるとおり、保持器アーム２０の前方セクション２７は少なくとも２つの個別のアーム３８を含むことができ、２つのアーム３８は開ループを形成しない。各アーム３８の基端部分４０は保持器アーム２０の後方ハンドル部分２１へ結合され、２つのアーム３８の先端部分４２は構造上互いに独立しており、他のいずれの構造へも結合されない。一バージョンにおいて、図５Ａおよび５Ｂに示されるとおり、２つの個別のアーム３８は「Ｕ」の形状に保持器アーム２０の後方ハンドル部分２１から離れるように突出し、図６Ａおよび６Ｂに示される別のバージョンにおいて、２つの個別のアーム３８は開いた楕円形の形状である。任意選択的に、保持器アーム２０の前方セクション２７は３つ以上のアーム、例えば、３つまたは４つのアームを含む。
【００１２】
図５〜６に示されるとおり、閉位置にあるとき、突起部領域４４に対する少なくとも２つのアーム３８の配置には２つの異なる方法がある。図５Ｂおよび６Ｂに示されるとおり、２つのアーム３８は突起部領域４４の外側に配置され、突起部１８は２つのアーム３８間でのみ上方に突出する。図５Ａおよび６Ａに示されるとおり、２つのアーム３８は、突起部１８が両方のアーム３８の間および外側の両方で上方へ突出するように、突起部領域４４内の任意の位置に配置される。
【００１３】
保持器アーム２０の後方ハンドル部分２１には、突起部１８を加熱するために電源をオンおよびオフにするためのスイッチ３０が設けられる。ＬＥＤなどの表示灯３２が突起部１８の温度を示すために使用され得る。
【００１４】
突起部１８は様々な形状であり得る。図１に示される板状突起部１８ではなく、本考案によるデバイス３３には、図２に示されるとおり複数の円筒形の剛毛状突起部３４が設けられ得る。突起部３４は、高さが約１ｍｍ〜約１５ｍｍ、直径が約１ｍｍ〜約５ｍｍであり得る。
【００１５】
任意選択的に、図３に示されるデバイス３５において、ループ２８には図３に示されるとおり網目状構造３６を設けることができ、網目の穴は、突起部３４が網目開口部を通じて突出するような大きさにされる。２つのアーム３８にも、網目状構造を設けることができ、網目の穴は、突起部１８が網目開口部を通じて突出することができるような大きさにされる。
【００１６】
加えて、図７および８に示されるデバイス４５において、突起部１８は複数の形状の組合せであり得る。例えば、ブラシ状構造は、中央に板状突起部１８を含むことができ、突起部領域４４の外周により細い円筒形の剛毛状突起部１８を含むことができる。しかしながら、突起部１８は、形状の任意の組合せ、かつ任意のパターンであり得る。
【００１７】
また、図７および８に示されるとおり、デバイス４５はベース１２の前方整髪部分１６内に配置される複数の穴４６すなわち開口部をさらに含むことができ、複数の穴４６すなわち開口部を通じて、整えられている髪へおよび／または整えられている髪を通じて空気が吹き入れられ得る。複数の穴４６は、突起部領域４４の全域にわたって、または図７および８に示されるとおり突起部領域４４の外周にの何れかで分散され得る。複数の穴４６が突起部１８の間および／または突起部１８の近くにあり得る。デバイス４５はまた、空気取入開口部４８を含み得る。空気取入開口部４８はデバイス１０上のどこにでも位置することができるが、好ましくは、空気取入開口部４８は、髪が整えられる領域の近くにはないように、ベース１２の後方ハンドル部分１４に配置される。
【００１８】
図９に示されるとおり、デバイス４５は、複数の穴４６すなわち開口部を通じて空気を吹き込むための１つまたは複数の送風装置５２に給電するための１つまたは複数のモータ５０をさらに含み得る。１つまたは複数のモータ５０および１つまたは複数の送風装置５２は、ベース１２の後方ハンドル部分１４または前方整髪部分１６のどこにでも位置づけられ得る。任意選択的に、図９に示されるとおり、デバイス４５は、空気を、空気取入開口部４８を通じて導き、複数の穴４６を通じて出すための空気案内リング５４を含み得る。
【００１９】
任意選択的に、図９に示されるとおり、送風装置５２により複数の穴４６を通じて吹き込まれる空気は、１つまたは複数のヒータ５８により加熱され得る。１つまたは複数のヒータ５８は、ベース１２の後方ハンドル部分１４または前方整髪部分１６のどこにでも位置づけられ得る。
【００２０】
本考案によるデバイスの使用の際、ユーザは、保持器アーム２０をその開位置にして、髪をベース１２の前方整髪部分１６の間に置く。任意選択的に、突起部１８は加熱される。本考案によると、それらは加熱される必要はないが、加熱されると好ましい。ユーザは次いで保持器アーム２０を閉位置へ移動させ、デバイス１０を髪を通して引き、それにより髪を整える。これは片手で行うことができ、したがって、両手を使用することに関連する厄介さが生じる恐れがなく、整髪中、髪を適所に保持するために使用する手に熱傷を負う危険がなくなる。
【００２１】
本考案の利点は、デバイスを片手で使用でき、したがってユーザが熱傷または火傷を負う危険を減らすことである。加えて、網目が使用される場合でも、ユーザが整髪中に髪を観察することができるように、髪はループまたは２つのアームを通じて見ることができる。例えば、熱特徴部は濡れた髪を乾かすために使用することができ、ユーザは、視覚的表示により、髪を適切な速度でデバイスを通じて移動させて、髪を加熱し過ぎる恐れなく髪を乾かすことができる。
【００２２】
デバイス１０は、プラスチック材料、金属、および典型的には整髪デバイスのために使用される他の材料で作られ得る。剛毛、板または歯は、それらを金属から作り、加熱されるベース１２と熱接触させて配置することにより加熱され得る。突起部１８を加熱するための加熱要素は内側コア部分であってもよく、そのため、突起部１８を金属で形成することができ、各突起部１８の端部またはベースは内部コアと熱接触している。これに関するさらなる情報は米国特許第４，５９３，７０８号明細書および同第４，６２５，７３８号明細書に見つけることができる。
【符号の説明】
【００２３】
１０  櫛状デバイス
１２  ベース
１４  後方ハンドル部分
１６  前方整髪部分
１８  板状突起部
２０  保持器アーム
２１  後方ハンドル部分
２２  枢動ピン
２４  ハンドル部分の後端部分
２６  ばね
２７  前方セクション
２８  開ループ
３０  スイッチ
３２  表示灯
３３  デバイス
３４  円筒形の剛毛状突起部
３５  デバイス
３６  網目状構造
３８  アーム
４０  基端部分
４２  先端部分
４４  突起部領域
４５  デバイス
４６  穴
４８  空気取入開口部
５０  モータ
５２  送風装置
５４  空気案内リング
５６  コード
５８  ヒータ
【図１】
0003208115.tif 000003
【図２】
0003208115.tif 000004
【図３】
0003208115.tif 000005
【図４】
0003208115.tif 000006
【図５】
0003208115.tif 000007
【図６】
0003208115.tif 000008
【図７】
0003208115.tif 000009
【図８】
0003208115.tif 000010
【図９】
0003208115.tif 000011